(57)【要約】  グラビア印刷におけるインキの転移特性をコントロールして改善するようにしたグラビア印刷装置、グラビア印刷方法及び印刷物の製造方法を提供する。  グラビア版胴と、前記グラビア版胴の版面の余分なインキを掻き取るドクターブレードと、被印刷基材を前記版面に押し当て前記グラビア版胴のセル内に残ったインキを転移せしめる圧胴と、前記版面上の前記ドクターブレードのインキ掻き取り点と前記版面上の前記圧胴の押し当て点との間のインキ転移特性コントロールエリアの少なくとも一部に、所定の湿度を有するエアー、ドライエアー、及び不活性ガスからなる群より選ばれるガス、を供給せしめてインキ転移特性をコントロールする転移特性コントロール機構と、を含むグラビア印刷装置とした。
2018003618.tif 000002
【特許請求の範囲】
【請求項１】
グラビア版胴と、
前記グラビア版胴の版面の余分なインキを掻き取るドクターブレードと、
被印刷基材を前記版面に押し当て前記グラビア版胴のセル内に残ったインキを転移せしめる圧胴と、
前記版面上の前記ドクターブレードのインキ掻き取り点と前記版面上の前記圧胴の押し当て点との間のインキ転移特性コントロールエリアの少なくとも一部に、所定の湿度を有するエアー、ドライエアー、及び不活性ガスからなる群より選ばれるガス、を供給せしめてインキ転移特性をコントロールする転移特性コントロール機構と、
を含むグラビア印刷装置。
【請求項２】
前記転移特性コントロール機構が、前記インキ転移特性コントロールエリアの上方に前記インキ転移特性コントロールエリアを覆うように設けられる筐体を有し、前記筐体の下面がグラビア版胴の周面と相対向して位置し、前記筐体の下面がグラビア版胴の周面に沿った曲率を有する円弧形状とされ、前記下面にガス吹き出し口が設けられてなる、請求項１記載のグラビア印刷装置。
【請求項３】
前記所定の湿度を有するエアーの所定の湿度がＲＨ１０％〜８０％である、請求項１又は２記載のグラビア印刷装置。
【請求項４】
前記転移特性コントロール機構が、前記ガスの供給量を調節するガス供給量調節機構を備えてなる、請求項１〜３いずれか１項記載のグラビア印刷装置。
【請求項５】
前記ガス供給量調節機構が、前記筐体の下面と前記グラビア版胴の周面との間のインキ転移特性コントロールエリアの雰囲気であるインキ転移特性コントロールエリア雰囲気の温度を測定する温度計、前記インキ転移特性コントロールエリア雰囲気の湿度を測定する湿度計、グラビア版胴の版面温度を測定する温度センサ、の少なくとも一つを備え、フィードバック制御を行うことにより、前記ガスの供給量を調節してなる、請求項４記載のグラビア印刷装置。
【請求項６】
請求項１〜５いずれか１項記載のグラビア印刷装置を用い、
前記グラビア版胴の版面の余分なインキをドクターブレードで掻き取った後、
前記版面上の前記ドクターブレードのインキ掻き取り点と前記版面上の前記圧胴の押し当て点との間のインキ転移特性コントロールエリアの少なくとも一部に、所定の湿度を有するエアー、ドライエアー、及び不活性ガスからなる群より選ばれるガス、を供給し、
前記被印刷基材を前記圧胴により前記版面に押し当て前記グラビア版胴のセル内に残ったインキを前記被印刷基材に転移せしめてなる、グラビア印刷方法。
【請求項７】
請求項１〜５いずれか１項記載のグラビア印刷装置を用い、
前記グラビア版胴の版面の余分なインキをドクターブレードで掻き取った後、
前記版面上の前記ドクターブレードのインキ掻き取り点と前記版面上の前記圧胴の押し当て点との間のインキ転移特性コントロールエリアの少なくとも一部に、所定の湿度を有するエアー、ドライエアー、及び不活性ガスからなる群より選ばれるガス、を供給し、
前記被印刷基材を前記圧胴により前記版面に押し当て前記グラビア版胴のセル内に残ったインキを前記被印刷基材に転移せしめて印刷物を製造してなる、印刷物の製造方法。
【発明の詳細な説明】
【技術分野】
【０００１】
本発明は、グラビア印刷におけるインキの転移特性を改善するようにしたグラビア印刷装置、グラビア印刷方法及び印刷物の製造方法に関する。
【背景技術】
【０００２】
グラビア印刷は、グラビア製版ロール（グラビアシリンダー）に対し、製版情報に応じた微小な凹部（グラビアセル）を形成して版面を製作し当該グラビアセルにインキを充填して被印刷物に転写するものである。一般的なグラビア製版ロールにおいては、アルミニウムや鉄などの金属製又は炭素繊維強化樹脂（ＣＦＲＰ）等の強化樹脂製の中空ロールの表面に版面形成用の銅メッキ層（版材）を設け、該銅メッキ層にエッチングによって製版情報に応じ多数の微小な凹部（グラビアセル）を形成し、次いでグラビア製版ロールの耐刷力を増すためのクロムメッキ等の表面硬化被覆層を表面に形成し、製版（版面の製作）が完了する。【０００３】
グラビア印刷ではインキの転移特性が問題となる。グラビア印刷において、非画線部（印刷用版面の印刷インキが付着しない部分）に微小にインキが付着して汚れた感じに印刷される版カブリは、ドクターブレードの継続使用時間が多くなってドクターブレードがシャープでなくなったときや、グラビアロールのクロムメッキの非画線部にサンドペーパーで筋目を万遍なく付ける事を怠ったとき、又、輪転機の印刷速度が速すぎるとき、などに現れる現象である。【０００４】
版カブリの原因は、印刷用版面の非画線部にドクターを通過してしまった微小なインキが乾かないで転移するためである。印刷用版面の非画線部に版カブリの原因となるインキの量が大きい場合には、ドクターブレードがシャープではなくなりインキに対する切れが悪くなったことが原因であるか、又は、印刷用版面が余りにも鏡面状態になっていて自己潤滑性が悪くてドクターブレードとロール面との直接接触が行われてドクターブレードが微小にバイブレーションを起こしてインキを通過させることに原因がある。【０００５】
また、グラビア印刷において、絵柄端部に生じる版乾きによる部分的な転移不良、すなわち、カスレを効果的に防止することを目的として、グラビア版の版面の非画線部に微小セルを全面に形成するようにしたグラビア版なども提案されている（特許文献１）。
【先行技術文献】
【特許文献】
【０００６】
【特許文献１】特開２００５−１５３２０１
【発明の開示】
【発明が解決しようとする課題】
【０００７】
本発明は、グラビア印刷におけるインキの転移特性をコントロールして改善するようにしたグラビア印刷装置、グラビア印刷方法及び印刷物の製造方法を提供することを目的とする。
【課題を解決するための手段】
【０００８】
上記課題を解決するため、本発明のグラビア印刷装置は、グラビア版胴と、前記グラビア版胴の版面の余分なインキを掻き取るドクターブレードと、被印刷基材を前記版面に押し当て前記グラビア版胴のセル内に残ったインキを転移せしめる圧胴と、前記版面上の前記ドクターブレードのインキ掻き取り点と前記版面上の前記圧胴の押し当て点との間のインキ転移特性コントロールエリアの少なくとも一部に、所定の湿度を有するエアー、ドライエアー、及び不活性ガスからなる群より選ばれるガス、を供給せしめてインキ転移特性をコントロールする転移特性コントロール機構と、を含むグラビア印刷装置である。【０００９】
前記転移特性コントロール機構が、前記インキ転移特性コントロールエリアの上方に前記インキ転移特性コントロールエリアを覆うように設けられる筐体を有し、前記筐体の下面がグラビア版胴の周面と相対向して位置し、前記筐体の下面がグラビア版胴の周面に沿った曲率を有する円弧形状とされ、前記下面にガス吹き出し口が設けられてなるのが好適である。【００１０】
前記所定の湿度を有するエアーの所定の湿度がＲＨ１０％〜８０％であるのが好ましい。また、前記ドライエアーとしては、ＲＨ１０％未満のエアーを好適に使用できる。【００１１】
前記転移特性コントロール機構が、前記ガスの供給量を調節するガス供給量調節機構を備えてなるのが好適である。【００１２】
前記ガス供給量調節機構が、前記筐体の下面と前記グラビア版胴の周面との間のインキ転移特性コントロールエリアの雰囲気であるインキ転移特性コントロールエリア雰囲気の温度を測定する温度計、前記インキ転移特性コントロールエリア雰囲気の湿度を測定する湿度計、グラビア版胴の版面温度を測定する温度センサ、の少なくとも一つを備え、フィードバック制御を行うことにより、前記ガスの供給量を調節してなるのが好適である。前記筐体の下面と前記グラビア版胴の周面との間のインキ転移特性コントロールエリアはなるべく閉鎖系に近い方が好ましい。また、インキ転移特性コントロールエリア雰囲気の温度や湿度を所定の温度や湿度に調節するのが好適である。【００１３】
本発明のグラビア印刷方法は、前記グラビア印刷装置を用い、前記グラビア版胴の版面の余分なインキをドクターブレードで掻き取った後、前記版面上の前記ドクターブレードのインキ掻き取り点と前記版面上の前記圧胴の押し当て点との間のインキ転移特性コントロールエリアの少なくとも一部に、所定の湿度を有するエアー、ドライエアー、及び不活性ガスからなる群より選ばれるガス、を供給し、前記被印刷基材を前記圧胴により前記版面に押し当て前記グラビア版胴のセル内に残ったインキを前記被印刷基材に転移せしめてなる、グラビア印刷方法である。【００１４】
本発明の印刷物の製造方法は、前記グラビア版胴の版面の余分なインキをドクターブレードで掻き取った後、前記版面上の前記ドクターブレードのインキ掻き取り点と前記版面上の前記圧胴の押し当て点との間のインキ転移特性コントロールエリアの少なくとも一部に、所定の湿度を有するエアー、ドライエアー、及び不活性ガスからなる群より選ばれるガス、を供給し、前記被印刷基材を前記圧胴により前記版面に押し当て前記グラビア版胴のセル内に残ったインキを前記被印刷基材に転移せしめて印刷物を製造してなる、印刷物の製造方法である。
【発明の効果】
【００１５】
本発明によれば、グラビア印刷におけるインキの転移特性をコントロールして改善するようにしたグラビア印刷装置、グラビア印刷方法及び印刷物の製造方法を提供することができるという著大な効果を有する。
【図面の簡単な説明】
【００１６】
【図１】本発明のグラビア印刷装置の一つの実施の形態を示す模式的側面図である。
【図２】本発明のグラビア印刷装置の一つの実施の形態を示す模式的斜視図である。
【図３】図２のグラビア印刷装置の転移特性コントロール機構を下側からみた模式的斜視図である。
【図４】転移特性コントロール機構の一つの実施の形態を示すブロック図である。
【発明を実施するための形態】
【００１７】
以下に本発明の実施の形態を説明するが、これら実施の形態は例示的に示されるもので、本発明の技術思想から逸脱しない限り種々の変形が可能なことはいうまでもない。なお、同一部材は同一符号で表される。
【００１８】
図１〜図２において、符号１０は、本発明に係るグラビア印刷装置を示す。グラビア印刷装置１０は、グラビア版胴１２と、前記グラビア版胴１２の版面１４の余分なインキ１６を掻き取るドクターブレード１８と、被印刷基材２０を前記版面１４に押し当て前記グラビア版胴１２のセル２２内に残ったインキ１６を転移せしめる圧胴２４と、前記版面１４上の前記ドクターブレード１８のインキ掻き取り点Ｐと前記版面１４上の前記圧胴２４の押し当て点Ｑとの間のインキ転移特性コントロールエリアＡの少なくとも一部に、所定の湿度を有するエアー、ドライエアー、及び不活性ガスからなる群より選ばれるガス２６を供給せしめてインキ転移特性をコントロールする転移特性コントロール機構２８と、から構成されている。
【００１９】
インキ１６はインキパン３８に貯留されている。被印刷基材２０としては、ウェブ状の被印刷基材が好適に用いられる。図示例でもウェブ状の被印刷基材の例を示した。
【００２０】
転移特性コントロール機構２８は、インキ転移特性コントロールエリアＡの上方に前記インキ転移特性コントロールエリアＡを覆うように設けられる筐体４０を有し、前記筐体４０の下面４６がグラビア版胴１２の周面４２と相対向して位置し、前記筐体４０の下面４６がグラビア版胴１２の周面４２に沿った曲率を有する円弧形状とされ、前記下面４６にガス吹き出し口３２が設けられてなる。
【００２１】
転移特性コントロール機構２８には、ガス２６の取り入れ口３０が設けられており、取り入れ口３０から取り入れられたガス２６が吹き出し口３２から、インキ転移特性コントロールエリアＡの少なくとも一部にガス２６が吹き付けられる。また、転移特性コントロール機構２８には、排気口３４も設けられており、インキ転移特性コントロールエリアＡの周辺雰囲気の排気されるガス３６が排気されることとなる。
【００２２】
インキ転移特性コントロールエリアＡは、前記版面１４上の前記ドクターブレード１８のインキ掻き取り点Ｐと前記版面１４上の前記圧胴２４の押し当て点Ｑとの間の版面１４のエリアを指す。即ち、グラビア版胴１２の幅方向に亘る周面の前記版面１４上の前記ドクターブレード１８のインキ掻き取り点Ｐと前記版面１４上の前記圧胴２４の押し当て点Ｑとの間の版面１４上にガス２６を供給するのである。
【００２３】
上記インキ転移特性コントロールエリアＡに、所定の湿度を有するエアー、ドライエアー、及び不活性ガスからなる群より選ばれるガス２６を供給することで、インキの転移特性をコントロールすることが可能となる。前記所定の湿度を有するエアーの所定の湿度はＲＨ１０％〜８０％であるのが好適である。前記ドライエアーとしては、ＲＨ１０％未満のエアーを好適に使用できる。不活性ガスとしては、例えば窒素ガスやアルゴンガスなどが挙げられる。
【００２４】
グラビア印刷では、ドクターブレード１８によって印圧が加わる間でのセル２２内のインキ１６が、乾燥オーバーになるとハイライト特性を失い、乾燥が遅れると非画線部が汚れてしまう。従って、印刷雰囲気の温度、湿度やインキ中の溶剤構成でインキの転移特性が左右されることとなる。
【００２５】
そこで、グラビア印刷におけるインキの転移特性をコントロールして改善するために、インキ転移特性コントロールエリアＡに、所定の湿度を有するエアー、ドライエアー、及び不活性ガスからなる群より選ばれるガス２６を供給することで、インキの転移特性をコントロールすることを可能とした。このようにすることで、印刷の際のいわゆる版かぶりの抑制やハイライト部分のインク転移性の向上を図ることができる。
【００２６】
転移特性コントロール機構２８は、前記ガス２６の供給量を調節するガス供給量調節機構４８を備えてなるのが好適である。前記ガス２６の供給量を調節することが容易となるからである。図４に、転移特性コントロール機構２８の一つの実施の形態をブロック図で示す。転移特性コントロール機構２８は、ガス供給量調節機構４８に接続されたガス２６の吹き出し口３２を有しており、吹き出し口３２から調節されたガス２６が吹き出す構成とされている。
【００２７】
また、前記ガス供給量調節機構４８が、筐体４０の下面４６とグラビア版胴１２の周面４２との間のインキ転移特性コントロールエリアの雰囲気４４の温度を測定する温度計、前記インキ転移特性コントロールエリア雰囲気４４の湿度を測定する湿度計、グラビア版胴の版面温度を測定する温度センサ、の少なくとも一つを備え、フィードバック制御を行うことにより、前記ガスの供給量を調節するように構成するのがさらに好適である。印刷雰囲気の温度、湿度やインキ中の溶剤構成でグラビア印刷のインキの転移特性が左右されるからである。筐体４０の下面４６と前記グラビア版胴１２の周面４２との間のインキ転移特性コントロールエリアＡの雰囲気４４の湿度や温度を測定するため、前記筐体４０の下面４６と前記グラビア版胴１２の周面４２との間のインキ転移特性コントロールエリアＡはなるべく閉鎖系に近い方が好ましい。
【００２８】
インキ転移特性コントロールエリア雰囲気４４の温度を測定する温度計、インキ転移特性コントロールエリア雰囲気４４の湿度を測定する湿度計、グラビア版胴の版面温度を測定する温度センサ、は市販されている公知のものを適用可能である。また、フィードバック制御についても、例えばＰＩＤのパラメータによる制御など、市販されている公知の制御回路を適用可能である。印刷雰囲気の温度や湿度、グラビア版胴の版面温度を測定し、その結果に基づいてフィードバック制御し、ガスの供給量を調節する。また、インキ中の溶剤は、揮発し易いものもあるし、雰囲気の温度や湿気にも左右されるため、インキ中の溶剤構成などの要素も考慮に入れてガスの供給量の調節を行う。また、前記ガス供給量調節機構４８として、市販の冷暖房装置のような空調ユニットも使用できる。市販の空調ユニットとして、例えばフロンなどの冷媒を使った空調システムやペルチェ素子を用いて冷却を行う空調システムなどを使用してもよい。
【００２９】
なお、グラビア印刷装置１０において、転移特性コントロール機構２８以外の構成であるグラビア版胴１２や圧胴２４などの構成については、従来公知の構成を採用することができる。
【００３０】
このように構成したグラビア印刷装置１０を用いて、前記グラビア版胴１２の版面１４の余分なインキ１６をドクターブレード１８で掻き取った後、前記版面１４上の前記ドクターブレード１８のインキ掻き取り点Ｐと前記版面１４上の前記圧胴２４の押し当て点Ｑとの間のインキ転移特性コントロールエリアＡの少なくとも一部の前記版面１４上に、所定の湿度を有するエアー、ドライエアー、及び不活性ガスからなる群より選ばれるガス２６を供給し、前記被印刷基材２０を前記圧胴２４により前記版面１４に押し当て前記グラビア版胴１２のセル２２内に残ったインキ１６を前記被印刷基材２０に転移せしめるように印刷することで、本発明のグラビア印刷方法となる。
【００３１】
また、このように構成したグラビア印刷装置１０を用いて、前記グラビア版胴１２の版面１４の余分なインキ１６をドクターブレード１８で掻き取った後、前記版面１４上の前記ドクターブレード１８のインキ掻き取り点Ｐと前記版面１４上の前記圧胴２４の押し当て点Ｑとの間のインキ転移特性コントロールエリアＡの少なくとも一部の前記版面１４上に、所定の湿度を有するエアー、ドライエアー、及び不活性ガスからなる群より選ばれるガス２６を供給し、前記被印刷基材２０を前記圧胴２４により前記版面１４に押し当て前記グラビア版胴１２のセル２２内に残ったインキ１６を前記被印刷基材２０に転移せしめて印刷物を製造することで、本発明の印刷物の製造方法となる。
【符号の説明】
【００３２】
１０：グラビア印刷装置、１２：グラビア版胴、１４：版面、１６：インキ、１８：ドクターブレード、２０：被印刷基材、２２：セル、２４：圧胴、２６：ガス、２８：転移特性コントロール機構、３０：ガスの取り入れ口、３２：ガスの吹き出し口、３４：排気口、３６：排気されるガス、３８：インキパン、４０：筐体、４２：周面、４４：インキ転移特性コントロールエリア雰囲気、４６：筐体の下面、４８：ガス供給量調節機構、Ａ：インキ転移特性コントロールエリア、Ｐ：ドクターブレードのインキ掻き取り点、Ｑ：版面上の圧胴の押し当て点。
【図１】
2018003618.tif 000003
【図２】
2018003618.tif 000004
【図３】
2018003618.tif 000005
【図４】
2018003618.tif 000006
【国際調査報告】
2018003618.tif 000007
2018003618.tif 000008
2018003618.tif 000009
2018003618.tif 000010